(57)【要約】【課題】防火性能や耐久性に優れるアルミ等の金属製サッシを対象とし、室内側に結露を生じるのを効果的に抑制することができるサッシの結露抑制構造を提供する。【解決手段】蓄熱材６，７が、金属製又は樹脂製の開口部枠３及び／又は金属製又は樹脂製の障子枠４を構成する形材の中空部内又は半中空部内のスペースを利用して設置され、蓄熱材６，７の放熱が、枠３，４の室内側部分に対して行われるようになされている。その場合に、蓄熱材６，７の室外側に位置して断熱材８，９が備えられているとよい。また、蓄熱材６，７は、粒子状ないしは粉末状の蓄熱カプセルからなっているとよい。【選択図】      図１
2005256503.tif 000002
【特許請求の範囲】
【請求項１】
蓄熱材が、金属製開口部枠及び／又は金属製障子枠を構成する形材の中空部内又は半中空部内のスペースを利用して設置され、該蓄熱材の放熱が、前記枠の室内側部分に対して行われるようになされていることを特徴とする金属製サッシの結露抑制構造。
【請求項２】
前記蓄熱材の室外側に位置して断熱材が備えられている請求項１に記載の金属製サッシの結露抑制構造。
【請求項３】
前記蓄熱材が、粒子状ないしは粉末状の蓄熱カプセルからなる請求項１又は２に記載の金属製サッシの結露抑制構造。
【請求項４】
蓄熱材が、樹脂製開口部枠及び／又は樹脂製障子枠を構成する形材の中空部内又は半中空部内のスペースを利用して設置され、該蓄熱材の放熱が、前記枠の室内側部分に対して行われるようになされていることを特徴とする樹脂製サッシの結露抑制構造。
【発明の詳細な説明】
【技術分野】
【０００１】
本発明は、サッシの結露抑制構造に関する。
【背景技術】
【０００２】
アルミ等の金属製サッシは、熱をよく伝えるため、冬期に、室内側に結露を生じて周囲を濡らしてしまうという問題があり、そのため、樹脂製サッシや木製サッシが提供されているが、樹脂製サッシや木製サッシには、防火性能や耐久性などの点において金属製サッシに劣るという弱点がある。
【発明の開示】
【発明が解決しようとする課題】
【０００３】
本発明は、上記のような背景において、防火性能や耐久性に優れるアルミ等の金属製サッシや、やはり結露の問題を払拭しきれない樹脂サッシを対象とし、室内側に結露を生じるのを効果的に抑制することができるサッシの結露抑制構造を提供することを課題とする。
【課題を解決するための手段】
【０００４】
上記の課題は、蓄熱材が、金属製開口部枠及び／又は金属製障子枠を構成する形材の中空部内又は半中空部内のスペースを利用して設置され、該蓄熱材の放熱が、前記枠の室内側部分に対して行われるようになされていることを特徴とする金属製サッシの結露抑制構造によって解決される。
【０００５】
この構造では、サッシが金属製であることにより、防火性能や耐久性に優れるのはもとより、蓄熱材の採用と金属の良熱伝導性とにより、蓄熱材からの放熱で枠の室内側部分が効果的に加温され、枠の室内側に結露を生じるのを効果的に抑制することができる。しかも、蓄熱材は、枠を構成する形材の中空部内又は半中空部内のスペースを利用して設置されているので、蓄熱材の熱を枠の室内側に効果的に伝えることができて枠の室内側の結露を効果的に抑制することができると共に、蓄熱材の設置スペースの確保を周囲との取り合い関係において容易に行うことができる。
【０００６】
上記の構造において、蓄熱材の室外側に位置して断熱材が備えられている場合は、蓄熱材の放熱が室外側になされるのが抑制されて室内側への放熱を促進でき、少ない蓄熱材で室内側の結露を効果的に抑制することができる。
【０００７】
また、蓄熱材が、粒子状ないしは粉末状の蓄熱カプセルからなる場合は、蓄熱材を形材の中空部又は半中空部に対して容易に組み込むことができるし、必要に応じて蓄熱材を貫通するようにビス打ちを行うことも可能となる。なお、蓄熱カプセルとは、例えば、有機系等の潜熱蓄熱材を樹脂等で被覆してカプセル状にしたもので、粒子状ないしは粉末状の蓄熱カプセルとは、そのようなカプセルの集合体であって粒子状ないしは粉末状をしているものをいう。
【０００８】
また、上記の課題は、蓄熱材が、樹脂製開口部枠及び／又は樹脂製障子枠を構成する形材の中空部内又は半中空部内のスペースを利用して設置され、該蓄熱材の放熱が、前記枠の室内側部分に対して行われるようになされていることを特徴とする樹脂製サッシの結露抑制構造によっても解決される。
【０００９】
この構造では、蓄熱材の採用により、蓄熱材からの放熱で枠の室内側部分が効果的に加温され、枠の室内側に結露を生じるのを効果的に抑制することができる。しかも、蓄熱材は、枠を構成する形材の中空部内又は半中空部内のスペースを利用して設置されているので、蓄熱材の熱を枠の室内側に効果的に伝えることができて枠の室内側の結露を効果的に抑制することができると共に、蓄熱材の設置スペースの確保を周囲との取り合い関係において容易に行うことができる。
【００１０】
この樹脂製サッシの場合も、蓄熱材の室外側に位置して断熱材が備えられているとよいし、蓄熱材が、粒子状ないしは粉末状の蓄熱カプセルからなるとよい。
【発明の効果】
【００１１】
本発明のサッシの結露抑制構造は、以上のとおりのものであるから、サッシが金属製である場合には、防火性能や耐久性に優れ、しかも、室内側に結露を生じるのを効果的に抑制することができ、サッシが樹脂製サッシである場合は、室内側に結露を生じるのを効果的に抑制することができる。
【発明を実施するための最良の形態】
【００１２】
次に、本発明の実施最良形態を図面に基づいて説明する。
【００１３】
図１に示す実施形態の構造は、建物の外壁に設けられた開口部に設置されるサッシについてのもので、１は室内、２は屋外、３はサッシの開口部枠、４は同障子枠、５は室内側に備えられた木製額縁、６，７は潜熱蓄熱材などの蓄熱材であり、開口部枠３と障子枠４はいずれもアルミニウム製の形材でつくられている。
【００１４】
そして、蓄熱材６，７は、粒子状ないしは粉末状の蓄熱カプセルからなっていて、図１（ロ）に示すように、各枠３，４を構成する形材の中空部内あるいは半中空部内のスペースを利用し、そのスペースに蓄熱材６，７の全部又は一部が収められるようにして隠蔽状態に組み込まれ、蓄熱材６，７の放熱が、開口部枠３と障子枠４の室内側部分に対して行われるようになされている。また、蓄熱材６，７の室外側に位置して断熱材８，９が備えられ、蓄熱材６，７からの放熱が室外側に向けて行われるのが抑制されるようになされている。
【００１５】
なお、蓄熱材６，７への蓄熱は、日中の太陽熱によって行われるようになされていてもよいし、暖房時の室内の熱によって行われるようになされていてもよいし、その両方によって行われるようになされていてもよく、いずれの場合であっても、アルミ製の枠３，４の良熱伝導性を利用して蓄熱が効果的に行われる。
【００１６】
上記の構造では、開口部枠３と障子枠４とがアルミニウム製であるので、防火性能や耐久性に優れているのみならず、蓄熱材６，７による放熱とアルミニウムの良熱伝導性とにより、蓄熱材６，７からの放熱で開口部枠３と障子枠４の室内側部分が効果的に加温され、これら枠３，４の室内側に結露を生じるのが効果的に抑制され、例えば木製額縁５の濡れを防ぐことができる。なお、蓄熱材６，７が潜熱蓄熱材からなっている場合には、融点は、室内の露点温度を考慮して、それ以上あるいはそれよりも高い温度に設定されていればよい。
【００１７】
しかも、蓄熱材６，７は、枠３，４を構成するアルミ形材の中空部内又は半中空部内のスペースを利用して設置されているので、蓄熱材６，７からの熱が枠３，４の室内側に効果的に伝えられ、室内側の結露を効果的に抑制することができると共に、蓄熱材６，７の設置スペースを周囲との取り合い関係において容易に確保することができる。
【００１８】
また、上記の実施形態では、蓄熱材６，７の室外側に位置して断熱材８，９が備えられているので、蓄熱材６，７の放熱が室内側に促進的に行われ、少ない蓄熱材で室内側の結露を効果的に抑制することができる。
【００１９】
更に、蓄熱材６，７が、粒子状ないしは粉末状の蓄熱カプセルからなっているので、蓄熱材を枠３，４の形材の中空部又は半中空部に対して容易に組み込むことができるし、必要に応じて蓄熱材６，７を貫通するようにビス打ちを行うこともできる。
【００２０】
また、冬期に、寝室で暖房を消して寝た場合であっても、明け方には、寝室内が水蒸気で高湿になって結露を生じ、額縁５を濡らすことがあるが、上記の蓄熱材６，７を潜熱蓄熱材とし、その融点を明け方ないし朝方の寝室内の露点温度以上の温度に設定しておけば、そのような結露の発生さえも容易かつ効果的に防ぐことができる。
【００２１】
以上に、本発明の実施形態を示したが、本発明はこれに限られるものではなく、発明思想を逸脱しない範囲で各種の変更が可能である。例えば、上記の実施形態では、開口部枠３と障子枠４の両方に対してそれぞれ蓄熱材を設けた場合を示したが、開口部枠３に対してのみ蓄熱材を設けるようにしてもよいし、障子枠４に対してのみ蓄熱材を設けるようにしてもよい。また、蓄熱材は、図示するように開口部枠３や障子枠４の全周に設けるようにしてもよいし、一部分にのみ設けるようにしてもよい。更に、上記の実施形態では、開口部枠３と障子枠４の両方が金属製の枠からなる場合を示したが、いずれか一方の枠が金属製のものからなっていて、その金属製の枠に対して蓄熱材の放熱が行われるようになされたものであってもよい。また、本発明は、サッシの開口部枠と障子枠の両方が樹脂製である場合の結露防止構造を含むものである。
【図面の簡単な説明】
【００２２】
【図１】実施形態のサッシ結露抑制構造を示すもので、図（イ）はサッシの取り付けられた窓を室内側から見た正面図、図（ロ）はその縦断面図である。
【符号の説明】
【００２３】
３…金属製開口部枠
４…金属製障子枠
６，７…蓄熱材
８，９…断熱材
【図１】
2005256503.tif 000003